(57)【要約】【課題】より的確に被測定者の肌の色を評価して的確なベースメイク推奨を行うことのできる方法およびそれに用いる装置、並びにそれに用いる情報ツールを提供する。【解決手段】肌の色の基準となる明度範囲と色相範囲を、予め上記測定データ処理部に記憶しておき、被測定者の少なくとも頬とフェースラインと首の３個所の肌の色を、拡大カメラ３によって測定し、その測定データを本体部５で処理し、液晶カラーモニター４のモニター画面４ａに、明度を一方の座標軸とし色相を他方の座標軸とする直交座標上の座標点として表示するとともに、上記直交座標上に、肌の色の基準となる明度範囲を示す帯域Ａと、肌の色の基準となる色相範囲を示す帯域Ｂを表示し、上記測定データの座標点と上記２つの帯域Ａ、Ｂとの位置関係によって、被測定者の肌の色を評価するようにした。【選択図】図１
2006110075.tif 000002
【特許請求の範囲】
【請求項１】
肌の色を、明度と色相の２つの指標によって測定しうる測定部と、測定データ処理部と、測定結果表示部とを備えた肌色評価装置を用いて、被測定者の肌の色を評価し、その肌の色に適したベースメイク化粧料を推奨するベースメイク推奨方法であって、肌の色の基準となる明度範囲と色相範囲を、予め上記測定データ処理部に記憶しておき、被測定者の少なくとも頬とフェースラインと首の３個所の肌の色を上記測定部により測定し、その測定データを、上記測定結果表示部に、明度を一方の座標軸とし色相を他方の座標軸とする直交座標上の座標点として表示するとともに、上記直交座標上に、肌の色の基準となる明度範囲を示す帯域Ａと、肌の色の基準となる色相範囲を示す帯域Ｂを表示し、上記測定データの座標点と上記２つの帯域Ａ、Ｂとの位置関係によって、被測定者の肌の色を評価するようにしたことを特徴とするベースメイク推奨方法。
【請求項２】
上記肌色評価装置が、測定部と、第１の測定データ処理部と、第１の測定結果表示部とを備えた測定装置と、第２の測定データ処理部と、第２の測定結果表示部とを備えた処理装置とを組み合わせたものであり、上記肌の色の基準となる明度範囲と色相範囲を、予め上記第２の測定データ処理部に記憶しておき、上記第１の測定データ処理部によって処理された測定データを第２の測定データ処理部に入力することにより、その測定データの座標点と帯域Ａ、Ｂとが表示された直交座標を、上記第２の測定表示部に表示するようにした請求項１記載のベースメイク推奨方法。
【請求項３】
請求項１または２に記載のベースメイク推奨方法に用いられる肌色評価装置であって、測定部と、測定データ処理部と、測定結果表示部とを備え、肌の色の基準となる明度範囲と色相範囲が予め上記測定データ処理部に記憶されており、被測定者の少なくとも頬とフェースラインと首の３個所の肌の色を上記測定部により測定して得られる測定データが、上記測定結果表示部に、明度を一方の座標軸とし色相を他方の座標軸とする直交座標上の座標点として表示されるとともに、上記直交座標上に、肌の色の基準となる明度範囲を示す帯域Ａと、肌の色の基準となる色相範囲を示す帯域Ｂとが表示されるようになっていることを特徴とする肌色評価装置。
【請求項４】
上記肌色評価装置が、測定部と、第１の測定データ処理部と、第１の測定結果表示部とを備えた測定装置と、第２の測定データ処理部と、第２の測定結果表示部とを備えた処理装置とを組み合わせたものであり、上記肌の色の基準となる明度範囲と色相範囲が、予め上記第２の測定データ処理部に記憶されており、上記第１の測定データ処理部によって処理された測定データを第２の測定データ処理部に入力することにより、その測定データの座標点と帯域Ａ、Ｂとを表示する直交座標が、上記第２の測定表示部に表示されるようになっている請求項３記載の肌色評価装置。
【請求項５】
請求項１または２に記載されたベースメイク推奨方法に用いられる情報ツールであって、肌色評価装置の測定結果表示部に表示される直交座標上の測定データの座標点と２つの帯域Ａ、Ｂとの位置関係のパターンが、複数種類例示されており、各例ごとに、その例における肌色の説明表示部と、その肌色に適したベースメイク化粧料に関する説明表示部とが、設けられていることを特徴とする情報ツール。
【発明の詳細な説明】
【技術分野】
【０００１】
本発明は、化粧品販売員等が顧客に対して行うベースメイク推奨方法およびそれに用いる装置、並びにそれに用いる情報ツールに関するものである。
【背景技術】
【０００２】
従来から、化粧品販売では、専門の販売員が、店頭あるいは訪問販売先で、顧客と口頭でやりとりしながら化粧品の推奨を行ったり、専用の測定機器を用いて顧客の肌の状態を測定し、顧客に適した化粧品をアドバイスしたりすることが行われている。例えば、ファンデーションや下地料等のベースメイク化粧品を推奨する際、専用の肌色測定機器を用いて顧客の肌の色を測定し、その測定結果に基づいてその人の肌に合うと思われるベースメイク化粧料を推奨したり方法をアドバイスすることが行われている。
【０００３】
しかしながら、従来の機器による肌色測定では、機器の操作や評価に手間取ることが多かったり、その測定結果から販売員が口頭でいろいろとフォローしなければならない等の問題があった。
【０００４】
そこで、本出願人は、肌の状態を、短時間で要領よく測定することができ、その評価も的確かつ迅速に行うことのできる肌色評価方法とそれに用いる装置を開発し、すでに出願している（特許文献１参照）。
【特許文献１】特開２００３−１９０１０４号公報
【発明の開示】
【発明が解決しようとする課題】
【０００５】
上記特許文献１の装置は、従来の装置に比べて操作しやすく、測定された肌色の特性が一目で把握できるようになっているため、その肌色に適したベースメイク等について、効率よくカウンセリングを行うことができる点で優れている。しかし、実際に、測定結果に従ってファンデーション等の色を選択すると、ファンデーションを塗布した顔の色と首の色が大きく異なって違和感がある場合や、全体として被測定者が期待する仕上がりにはならない場合等があることが判明した。このため、上記肌色評価方法の改善が強く望まれている。
【０００６】
本発明は、このような事情に鑑みなされたもので、より的確に被測定者の肌の色を評価して的確なベースメイク推奨を行うことのできる方法およびそれに用いる装置、並びにそれに用いる情報ツールの提供をその目的とする。
【課題を解決するための手段】
【０００７】
上記の目的を達成するため、本発明は、肌の色を、明度と色相の２つの指標によって測定しうる測定部と、測定データ処理部と、測定結果表示部とを備えた肌色評価装置を用いて、被測定者の肌の色を評価し、その肌の色に適したベースメイク化粧料を推奨するベースメイク推奨方法であって、肌の色の基準となる明度範囲と色相範囲を、予め上記測定データ処理部に記憶しておき、被測定者の少なくとも頬とフェースラインと首の３個所の肌の色を上記測定部により測定し、その測定データを、上記測定結果表示部に、明度を一方の座標軸とし色相を他方の座標軸とする直交座標上の座標点として表示するとともに、上記直交座標上に、肌の色の基準となる明度範囲を示す帯域Ａと、肌の色の基準となる色相範囲を示す帯域Ｂを表示し、上記測定データの座標点と上記２つの帯域Ａ、Ｂとの位置関係によって、被測定者の肌の色を評価するようにしたベースメイク推奨方法を第１の要旨とする。
【０００８】
また、本発明は、そのなかでも、特に、上記肌色評価装置が、測定部と、第１の測定データ処理部と、第１の測定結果表示部とを備えた測定装置と、第２の測定データ処理部と、第２の測定結果表示部とを備えた処理装置とを組み合わせたものであり、上記肌の色の基準となる明度範囲と色相範囲を、予め上記第２の測定データ処理部に記憶しておき、上記第１の測定データ処理部によって処理された測定データを第２の測定データ処理部に入力することにより、その測定データの座標点と帯域Ａ、Ｂとが表示された直交座標を、上記第２の測定表示部に表示するようにしたベースメイク推奨方法を第２の要旨とする。
【０００９】
さらに、本発明は、上記第１または第２の要旨であるベースメイク推奨方法に用いられる肌色評価装置であって、測定部と、測定データ処理部と、測定結果表示部とを備え、肌の色の基準となる明度範囲と色相範囲が予め上記測定データ処理部に記憶されており、被測定者の少なくとも頬とフェースラインと首の３個所の肌の色を上記測定部により測定して得られる測定データが、上記測定結果表示部に、明度を一方の座標軸とし色相を他方の座標軸とする直交座標上の座標点として表示されるとともに、上記直交座標上に、肌の色の基準となる明度範囲を示す帯域Ａと、肌の色の基準となる色相範囲を示す帯域Ｂとが表示されるようになっている肌色評価装置を第３の要旨とする。
【００１０】
そして、本発明は、そのなかでも、特に、上記肌色評価装置が、測定部と、第１の測定データ処理部と、第１の測定結果表示部とを備えた測定装置と、第２の測定データ処理部と、第２の測定結果表示部とを備えた処理装置とを組み合わせたものであり、上記肌の色の基準となる明度範囲と色相範囲が、予め上記第２の測定データ処理部に記憶されており、上記第１の測定データ処理部によって処理された測定データを第２の測定データ処理部に入力することにより、その測定データの座標点と帯域Ａ、Ｂとを表示する直交座標が、上記第２の測定表示部に表示されるようになっている肌色評価装置を第４の要旨とする。
【００１１】
また、本発明は、前記第１または第２の要旨であるベースメイク推奨方法に用いられる情報ツールであって、肌色評価装置の測定結果表示部に表示される直交座標上の測定データの座標点と２つの帯域Ａ、Ｂとの位置関係のパターンが、複数種類例示されており、各例ごとに、その例における肌色の説明表示部と、その肌色に適したベースメイク化粧料に関する説明表示部とが、設けられている情報ツールを第５の要旨とする。
【発明の効果】
【００１２】
本発明のベースメイク推奨方法によれば、被測定者の少なくとも頬とフェースラインと首の３個所の肌の色を測定し、その測定データを、単に数値として表示するのではなく、明度と色相を縦横の座標軸とする直交座標上に座標点として示し、同じくその直交座標上に表示される明度と色相の基準範囲（帯域Ａ、Ｂ）との位置関係によって、被測定者の肌の色を評価するようになっている。したがって、表示された直交座標を見るだけで、即座に、被測定者の肌の色の特性を把握することができ、その肌の色に適したベースメイク化粧料の色やベースメイク方法の推奨を、効率よく、しかも的確に行うことができる。そして、顧客にとっても、自分の肌の色の特性を、一目で把握することができるため、店員の推奨を納得して受けやすいという利点を有する。さらに、測定部位が１個所ではなく、少なくとも頬とフェースラインと首の３個所を測定して総合的に評価するため、顔の色と首の色が極端に異なって違和感を生じるようなことがなく、バランスのとれたベースメイクを推奨することができる。
【００１３】
また、上記ベースメイク推奨方法において、上記肌の色の基準となる明度範囲と色相範囲の記憶と処理、および評価結果の表示を、測定装置とは別の処理装置で行うようにしたものは、既設の測定装置を特に改造する必要がなく、別の処理装置に新たな処理機能を組み込むだけでよいため、装置を手軽に用意することができる。
【００１４】
そして、本発明の肌色評価装置によれば、被測定者の少なくとも頬とフェースラインと首の３個所の肌の色の測定データが、明度と色相を縦横の座標軸とする直交座標上に座標点として示され、同じくその直交座標上に、明度と色相の基準範囲（帯域Ａ、Ｂ）とが示されるようになっているため、両者の位置関係を見るだけで、即座に、被測定者の肌の色の特性を把握することができるという利点を有する。
【００１５】
さらに、本発明の情報ツールによれば、上記肌色測定装置で表示される測定結果のパターン別に、そのパターンに応じたベースメイク化粧料の説明表示部が設けられているため、顧客の肌の色に最適なベースメイク化粧料を即座に特定して、円滑にカウンセリングを進めることができる。
【発明を実施するための最良の形態】
【００１６】
つぎに、本発明を実施するための最良の形態について説明する。
【００１７】
図１は、本発明の一実施の形態に用いる肌色評価装置の一例を示している。この装置は、特開２００２−３５５２２３号公報の第２実施例として記載された装置と基本的には同一の構成を示すもので、１０インチの液晶カラーモニター４と、本体部５からなり、上記本体部５には、皮膚温度と、水分量と、皮膚弾力性を測定する素肌センサ１と、皮脂量を測定するオイリーチェッカー２と、皮膚表面撮像用の拡大カメラ３とが、着脱自在に係合保持されるようになっている。なお、６は、素肌センサ１を係合するための凹部、５０は拡大カメラ３を係合するための凹部である。また、１３０は、モニター画面４ａの操作をワンタッチで行うことのできる操作パネル、１４５は本体部５の電源スイッチ、１４６はＡＣアダプターのコネクタである。
【００１８】
そして、上記素肌センサ１には、肌色を客観的に測定するための、皮膚温度センサと水分量センサと皮膚弾力性センサが設けられており、上記本体部５には、拡大カメラ３で撮像される画像情報の処理や、素肌センサ１、オイリーチェッカー２から入力される測定情報の処理等、各種の処理を行う測定データ処理部が設けられている。
【００１９】
これらの測定手段によって得られる測定値をもとに、肌の状態を判断する項目としては、「肌コンディション  皮脂量・水分量・皮フ温」、「肌拡大  表面・内部」、「キメ」、「肌の色」、「透明感」、「表皮の力」、「真皮の力」の７項目が設定されている。そして、上記モニター画面４ａには、まず、図２に示すようなメニュー画面が表示されるようになっており、本体部５の操作パネル１３０（図１参照）を操作して、測定すべき項目を選択することができるようになっている。なお、項目選択のカーソル１４２は、項目ボタンの外周を囲う赤枠として表示されるようになっている。また、すでに測定済の項目は、その項目ボタンの外周に青枠１４３が表示されるようになっている。そして、項目が選択されると、その項目において用いる測定具とその測定方法の指示が、画面もしくは音声で与えられ、これにしたがって測定を行うことにより、測定結果が、上記本体部５のデータ処理部で自動的に行われ、モニター画面４ａに、グラフ図等の結果が表示されるようになっている。
【００２０】
なお、上記皮脂量や水分量等、測定項目によっては、その測定値の「基準値」が年代によって左右される場合がある。そこで、この装置では、所定の測定項目について、「〜１９歳」、「２０〜２４歳」、「２５〜２９歳」、「３０〜３４歳」、「３５〜３９歳」、「４０〜４４歳」、「４５〜４９歳」、「５０〜５４歳」、「５５〜５９歳」、「６０〜６４歳」、「６５〜６９歳」、「７０〜７４歳」、「７５〜７９歳」、「８０歳〜」の１４の年代ごとに、予め上記年代別モニター群の測定値を測定して各年代ごとの「基準値」を求めて記憶しておき、被測定者の年代に応じた「基準値」をもとに、その被測定者の測定結果が評価されるようになっている。
【００２１】
また、上記年代別基準値は、絶対的なものではなく、その測定時期の環境温度によっても左右される。そこで、この装置には、この装置が設置された場所の環境温度を常時計測する温度センサが内蔵されており、測定時の環境温度が、本体部５内のデータ処理部に自動的に入力され、上記年代別基準値が環境温度の影響を考慮したものに修正されるようになっている。
【００２２】
この例では、上記装置を用い、例えばつぎのようにして、被測定者の肌色を評価し、さらにその評価結果にもとづきベースメイク推奨を行う。すなわち、まず、図２に示すメニュー画面において、右上の「Ａｇｅ」の項目１４７を選択して、図３の画面を開き、操作パネル１３０（図１参照）の所定のボタンを操作して、カーソル１４２′を移動させることにより、被測定者の年代に該当する年代の項目を選択する。ただし、肌色に関しては、年代別基準値による調整はなされない。
【００２３】
そして、図２のメニュー画面に戻り、「肌の色」の項目を選択すると、モニター画面４ａにおいて、拡大カメラ３を、頬とフェースラインと首の３個所に順次当てて肌の色を測定するよう指示が与えられる。なお、上記拡大カメラ３には、反射画像と無反射画像の２種類の画像を選択できる機能が設けられているが、「肌の色」を測定する場合は、無反射画像を選択するよう指示が与えられる。
【００２４】
そこで、被測定者がメイクアップを施している場合は、目元から下のメイクアップを拭き取り、上記頬とフェースラインと首の３個所に、順次拡大カメラ３を当てて、各部位の肌の色を測定する。このとき、各部位の測定個所は、画面で表示される。そして、各部位ごとに、その画像情報にもとづいて、その部位の肌色の明度と色相に関する情報が、数値的に処理され、図４に示すようなグラフ図９０として、モニター画面４ａ（図１参照）に表示されるようになっている。
【００２５】
このグラフ図９０は、明度にもとづく指数を縦軸にとり、赤色から黄色に至る色相にもとづく指数を横軸にとって、予め収集したデータに基づいて肌色を４つの典型例に区分して示したものがベースとなっており、グラフ面が、これらの基準値を示すライン９１，９２によって、ａ〜ｄの４つの領域に区分されるようになっている。そして、被測定者の測定結果から両者の交点に所定のマーク９３が付されており、被測定者の肌色が一目でわかるようになっている。なお、このグラフ図９０の右上には、入力された被測定者の年代を示す年代記号（ハートの個数１つ：１０代前半、１つ半：１０代後半、２つ：２０代前半……という記号であり、この図では、被測定者が４０代前半であることを示している）７５と、環境温度を示す枠７７が設けられている。
【００２６】
そして、頬、フェースライン、首の３個所の肌の色の測定を終了した時点で、モニター画面４ａ上に表示される「ベースメイクカルテ作成」のボタンを選択すると、図５に示すように、上記３個所の肌の色の測定結果と、その結果から、被測定者に最適なベースメイク化粧品を推奨するための空欄が設けられたベースメイクカルテ２００が表示されるようになっている。
【００２７】
このベースメイクカルテ２００の左上には、図６に示すように、「ＤＯＬＴＩＥＲ」という、このベースメイク推奨方法によって推奨する一連のベースメイク化粧品のブランド名２０１が表示されており、その右側に、この一連の肌色測定に先立って入力した被測定者の氏名２０２が（会員である場合にはその会員番号とともに）表示されている。記号２０３は、すでに述べたように、被測定者の年代を示す年代記号である。
【００２８】
そして、その下の左側には、縦軸を明度とし、赤みから黄みに至る色相を横軸とする直交座標２０４が表示されており、この直交座標２０４に、頬とフェースラインと首の３個所で測定された肌の色が、その明度と色相の指数値にもとづき、３つの座標点Ｐ、Ｑ、Ｒとして表示されている。なお、肌の色の基準となる明度範囲が、明度指数２５以上５５未満の範囲内であることが、帯域Ａで示されている。また、同じく基準となる色相範囲が、色相指数３０以上７０未満の範囲内であることが、帯域Ｂで示されている。
【００２９】
そして、上記直交座標２０４の右側には、各明度指数の段階に応じた説明がなされている。すなわち、明度指数７０以上の部分の右側には、「標準よりとても明度（明るさ）の高いお肌です。あなたに合ったファンデーションの明るさはＡ・Ｂです。」という説明文２０５が表示されており、その下の、明度指数５５以上７０未満の部分の右側には、「標準より明度（明るさ）の高いお肌です。あなたに合ったファンデーションの明るさはＢ・Ｃです。」という説明文２０６が表示されている。また、その下の、明度指数２５以上５５未満の部分の右側には、「標準的な明度（明るさ）のお肌です。あなたに合ったファンデーションの明るさはＣ・Ｄです。」という説明文２０７が表示されており、その下の、明度指数２５未満の部分の右側には、「標準よりやや低い明度（明るさ）のお肌です。あなたに合ったファンデーションの明るさはＤ・Ｅです。」という説明文２０８が表示されている。そして、被測定者の明度指数に該当する段階の説明文２０７の文字が、他の説明文２０５等より大きく表示されている（図６では便宜上、同じ大きさで表示）。
【００３０】
また、上記直交座標２０４の下には、図７に示すように、横長の四角枠２０９が設けられており、その中に、このブランドのベースメイク化粧品のファンデーションにおける色の種類が、左右方向には、その色が適する肌の色の色相に対応し、上下方向には、その色が適する肌の色の明度に対応する配置で表示されている。すなわち、色相指数３０未満の部分の下側中央に、「ソフトオークルＣ」（色の呼称、以下同じ）が表示されており、色相指数３０以上７０未満の部分の下側に、「オークルＢ」、「オークルＣ」、「オークルＤ」が上下３段に表示されており、色相指数７０以上の部分の下側に、「ベージュＢ」、「ベージュＣ」が上２段に表示されている。
【００３１】
そして、上記四角枠２０９の下には、頬、フェースライン、首の、明度指数と色相指数を数値として示す表示欄２１０が設けられており、その右側には、現在のご使用色を記入する欄２１１と、この測定結果にもとづいて推奨されるファンデーションの決定色を記入する欄２１２と、上記ファンデーションと組み合わせて用いることが推奨される下地色を記入する欄２１３が設けられている。
【００３２】
また、これらの表示の右側には、「〔アドバイス〕」という見出し２１４が付けられた四角枠２１５が設けられており、この内側に、ベースメイクに関するアドバイスを記入することができるようになっている。その際、右側に表示された女性の顔のイラスト２１６を利用することができる。なお、この四角枠２１５の下端には、このアドバイスを行った担当者の氏名２１７が表示されるようになっている。
【００３３】
さらに、上記ベースメイクカルテ２００の右上には、図８に示すように、この測定を行った日付と時間２１８が表示されるようになっており、その下に、ベースメイクやメイクアップに関連する項目群２１９とチェック欄２２０とが上下に並んだ項目チェック部２２１が設けられている。これらの項目２１９を被測定者にチェックさせることにより、ベースメイク化粧品推奨の参考にすることができる。なお、上記項目群２１９には、上から順に、「ベースメイクのお好みをお聞かせください」という見出し２２２と、「アイシャドウでよく使用する好きな色は」という見出し２２３と、「口紅でよく使用する好きな色は」という見出し２２４が付されており、３つの種類に区分されている。
【００３４】
そして、前記記入欄２１１〜２１３への記入やアドバイスの記入、上記チェック欄２２０の記入等は、この装置への入力操作によって直接画面に記入してもよいし、このベースメイクカルテ２００を、この装置に接続されるプリンタを用いてプリントアウトした後、ペン等で手書きで記入するようにしてもよい。
【００３５】
なお、上記ベースメイクカルテ２００は、２枚プリントアウトされ、１枚は被測定者に手渡され、もう１枚は店舗側で保管されるようになっている。そして、店舗保管用のベースメイクカルテ２００のみ、その右下に、図８に示すように、明度指数と色相指数の値によって機械的に特定されるファンデーションの色が、四角枠２２５内に、色記号として表示されるようになっている。被測定者に渡すベースメイクカルテ２００には、この表示はない。
【００３６】
これは、機械的に特定されるファンデーションの色を被測定者に押し付けるのではなく、被測定者が現在使用している色や仕上がりの好み等をやりとりした上で、各記入欄２１１〜２１３に決定色を記入する方が、被測定者にとって好ましいからである。
【００３７】
なお、上記四角枠２２５内の色記号は、原則としてアルファベット２文字で示され、例えば「ｏｃ」はオークルＣ、「ｂｂ」はベージュＢを示す。また、２色以上の色が判定される場合、第２候補の色が（  ）で表示されるようになっている。例えば「ｏｃ（ｂｃ）」と表示される場合、オークルＣが基本だが、ベージュＣも似合う、という判定である。さちに、頬の赤みがあり、グリーンの下地を推奨する場合は、「〔ｇ〕」の記号が付記されるようになっている。
【００３８】
このように、上記肌色評価装置を用いたベースメイク推奨方法によれば、被測定者の頬とフェースラインと首の３個所の肌の色を測定し、その測定データを、単に数値として表示するのではなく、明度と色相を縦横の座標軸とする直交座標上に座標点Ｐ、Ｑ、Ｒとして示し、同じくその直交座標上に表示される明度と色相の基準範囲（帯域Ａ、Ｂ）との位置関係によって、被測定者の肌の色を評価できるようになっている。したがって、表示された直交座標を見るだけで、即座に、被測定者の肌の色の特性を把握することができ、その肌の色に適したベースメイク化粧料の色やベースメイク方法の推奨を、効率よく、しかも的確に行うことができる。そして、顧客にとっても、自分の肌の色の特性を、一目で把握することができるため、店員の推奨を納得して受けやすいという利点を有する。さらに、測定部位が１個所ではなく、頬とフェースラインと首の３個所を測定して総合的に評価するため、顔の色と首の色が極端に異なって違和感を生じるようなことがなく、バランスのとれたベースメイクを推奨することができる。
【００３９】
なお、上記ベースメイク推奨方法の実施に際しては、例えば、上記肌色評価装置に表示される直交座標における３つの座標点Ｐ、Ｑ、Ｒ（図６参照）と２つの帯域Ａ、Ｂとの位置関係のパターンのうち、典型的なものを複数種類例示し、例示された各パターンごとに、その肌の色に適したベースメイク化粧品に関する説明表示部と、その推奨時に注意すべき点等をまとめた補足説明表示部とを設けた情報ツールを用いることが好適である。そのような情報ツールの一例として、例えば、上記の内容を、一冊の冊子にまとめたものをあげることができる。
【００４０】
上記冊子のあるページは、例えば図９に示すように構成されている。このページの左上には、直交座標上に示された３つの座標点Ｐ、Ｑ、Ｒの第１のパターンを模式的に示すイラスト２３０が表示されている。そして、その右側には、「中央に集まっている場合〔オークル系〕がおすすめ」という見出し２３１が表示されており、その下に、「フェースラインと首がＢの範囲内のお客さま」というこのパターンに該当する被測定者のタイプを示す説明文２３２が表示されている。
【００４１】
そして、その下に、このパターンの典型的なベースメイクカルテ２００ａが表示されており、さらにその下に、上記表示内容にしたがって、推奨すべきベースメイク化粧品を選択するための手順や考え方が、表示されている。
【００４２】
すなわち、上記ベースメイクカルテ２００ａの直交座標２０４に表示された帯域Ｂが、青色の太線２３３で囲われており、その引き出し線２３４が、水色に着色された四角枠２３５につながっている。そして、この四角枠２３５内には、「フェースライン・首の色相がＢの範囲内で、ファンデーションの色みはオークル系、フェースラインの明度は６１で、ファンデーションの明るさはＣ、それぞれの測定値から、まずお試しいただきたいのは、オークルＣになること」が、四角枠と矢印を用いて簡潔に表示されている。
【００４３】
また、上記ベースメイクカルテ２００ａの項目チェック部２２１においてチェックされた２つの項目２１９ａ、２１９ｂが、赤色の太線２３６で囲われており、その引き出し線２３７が、ベージュ色に着色された四角枠２３８につながっている。そして、この四角枠２３８内の上段には、「もうひとつのテスト色として」という小見出し２３９が表示されており、その下に、「チェック項目から、このお客さまの場合はやや明るめの仕上がりが好みの傾向にあります。数値的にみてオークルＢでは明るさがアップしすぎるため、ファンデーションの明るさはそのままにして、ベージュＣをテストしました。」という考え方の説明文２３９ａが表示されている。そして、その下の段には、「下地料の色は」という小見出し２４０が表示されており、その下に、「チェック項目から、下地料のピンクベージュをおすすめしました。」という下地料選択の考え方を示す説明文２４１が表示されている。
【００４４】
さらに、上記四角枠２３８の下には、「こんな場合は」という小見出し２４２が表示されており、その下に、「肌の色は首とピッタリと合わせたい」という項目２１９′とチェックのついてチェック欄２２０′が表示されている。そして、その右側には、「上のお客さまが左記の項目をチェックした場合、ナチュラルな仕上がりがお好みの傾向に。その場合は、オークルＣともうひとつのテスト色として一段暗めのオークルＤをテストしてみましょう。また下地料はイエローベージュをおすすめしましょう。」という考え方の説明文２４３が表示されている。
【００４５】
また、そのつぎのページは、例えば図１０に示すように構成されている。このページの左上には、直交座標上に示された３つの座標点Ｐ、Ｑ、Ｒの第２のパターンを模式的に示すイラスト２５０が表示されている。そして、その右側には、「少し右よりの場合〔オークル系またはベージュ系〕がおすすめ」という見出し２５１が表示されており、その下に、「色相の測定値に７０以上の点がひとつあるお客さま」というこのパターンに該当する被測定者のタイプを示す説明文２５２が表示されている。
【００４６】
そして、その下に、このパターンの典型的なベースメイクカルテ２００ｂが表示されており、さらにその下に、上記表示内容にしたがって、推奨すべきベースメイク化粧品を選択するための手順や考え方が、表示されている。
【００４７】
すなわち、上記ベースメイクカルテ２００ｂの直交座標２０４に表示された帯域Ｂが、青色の太線２３３で囲われており、その引き出し線２３４が、水色に着色された四角枠２３５につながっている。そして、この四角枠２３５内には、「３点のうち首の色相が７０以上で、ファンデーションの色みはオークル系またはベージュ系、フェースラインの明度は６６で、ファンデーションの明るさはＣ、それぞれの測定値から、まずお試しいただきたいのは、オークルＣ、つぎにベージュＣになること」が、四角枠と矢印を用いて簡潔に表示されている。
【００４８】
また、上記ベースメイクカルテ２００ｂの項目チェック部２２１においてチェックされた２つの項目２１９ｃ、２１９ｄが、赤色の太線２３６で囲われており、その引き出し線２３７が、ベージュ色に着色された四角枠２３８につながっている。そして、この四角枠２３８内には、「下地料の色は」という小見出し２４０が表示されており、その下に、「チェック項目から、下地料のイエローベージュをおすすめしました。」という下地料選択の考え方を示す説明文２５３が表示されている。
【００４９】
さらに、上記四角枠２３８の下には、「こんな場合は」という小見出し２４２が表示されており、その下に、頬、フェースライン、首の３点がいずれも色相５０以上７０未満の場合の座標点Ｐ、Ｑ、Ｒを示す直交座標２０４ａが表示されており、その右側に、３点の色相指数と明度指数の数値２５４と、「３点とも色相が５０以上７０未満の場合、基本的にはオークル系がおすすめですが、全体的にやや黄みよりであることを考慮して、好みの仕上がりによってはベージュ系もお試しいただきましょう。」という考え方を示す説明文２５５が表示されている。
【００５０】
また、そのつぎのページは、例えば図１１に示すように構成されている。このページの左上には、直交座標上に示された３つの座標点Ｐ、Ｑ、Ｒの第３のパターンを模式的に示すイラスト２６０が表示されている。そして、その右側には、「右によっている場合〔ベージュ系またはオークル系〕がおすすめ」という見出し２６１が表示されており、その下に、「色相の測定値に７０以上の点がふたつあるお客さま」というこのパターンに該当する被測定者のタイプを示す説明文２６２が表示されている。
【００５１】
そして、その下に、このパターンの典型的なベースメイクカルテ２００ｃが表示されており、さらにその下に、上記表示内容にしたがって、推奨すべきベースメイク化粧品を選択するための手順や考え方が、表示されている。
【００５２】
すなわち、上記ベースメイクカルテ２００ｃの直交座標２０４に表示された帯域Ｂが、青色の太線２３３で囲われており、その引き出し線２３４が、水色に着色された四角枠２３５につながっている。そして、この四角枠２３５内には、「フェースライン・首の色相が７０以上で、ファンデーションの色みはベージュ系またはオークル系、フェースラインの明度は６６で、ファンデーションの明るさはＣ、それぞれの測定値から、まずお試しいただきたいのは、ベージュＣ、つぎにオークルＣになること」が、四角枠と矢印を用いて簡潔に表示されている。
【００５３】
また、上記ベースメイクカルテ２００ｃの項目チェック部２２１においてチェックされた３つの項目２１９ｅ、２１９ｆ、２１９ｇが、赤色の太線２３６で囲われており、その引き出し線２３７が、ベージュ色に着色された四角枠２３８につながっている。そして、この四角枠２３８内には、「下地料の色は」という小見出し２４０が表示されており、その下に、「チェック項目から、下地料のイエローベージュをおすすめしました。」という下地料選択の考え方を示す説明文２５３が表示されている。
【００５４】
さらに、上記四角枠２３８の下には、「こんな場合の色選びは」という小見出し２６３が表示されており、その下に、「ベージュ派？それともオークル派？  ３点とも黄みよりで２点の色相が７０以上」という、判断に迷うパターンの見出し２６４が表示されている。そして、その下に、「基本的にはベージュ系が第一候補ですが、４０代以降は黄ぐすみする傾向がありますので、右記の好みの仕上がりも考慮しながら慎重に色選びをしましょう。」というアドバイス２６５が表示されている。そして、その下に、「このお客さまの場合ベージュＣ、つぎにオークルＣがおすすめです。お試しいただいた結果、ベージュＣはくすんで見えたのでオークルＣをおすすめしました。」という色選びの考え方を示す説明文２６６が表示されている。
【００５５】
そして、その右側には、上記判断に迷うパターンの頬、フェースライン、首の３点の色相指数と明度指数の数値２６７と、そのパターンの座標点Ｐ、Ｑ、Ｒを示す直交座標２０４ｂが表示されている。また、その下に、上記項目チェック部２２１において、「ベースメイクのお好みをお聞かせください」という見出し２２２（図８参照）の下に並ぶ項目のうち、チェックの入った項目２１９ｅ、２１９ｆ、２１９ｇが、再度表示されている。
【００５６】
また、そのつぎのページは、例えば図１２に示すように構成されている。このページの左上には、直交座標上に示された３つの座標点Ｐ、Ｑ、Ｒの第４のパターンを模式的に示すイラスト２７０が表示されている。そして、その右側には、「少し左よりの場合〔オークル系またはベージュ系〕がおすすめ」という見出し２７１が表示されており、その下に、「フェースラインの色相が３０未満のお客さま」というこのパターンに該当する被測定者のタイプを示す説明文２７２が表示されている。
【００５７】
そして、その下に、このパターンの典型的なベースメイクカルテ２００ｄが表示されており、さらにその下に、上記表示内容にしたがって、推奨すべきベースメイク化粧品を選択するための手順や考え方が、表示されている。
【００５８】
すなわち、上記ベースメイクカルテ２００ｄの直交座標２０４に表示された帯域Ｂが、青色の太線２３３で囲われており、その引き出し線２３４が、水色に着色された四角枠２３５につながっている。そして、この四角枠２３５内には、「フェースラインの色相が３０未満で、フェースラインの明度は５５、それぞれの測定値から、まずお試しいただきたいのは、オークルＣになり、赤みを気にされている場合はベージュＣになること」が、四角枠と矢印を用いて簡潔に表示されている。
【００５９】
また、上記ベースメイクカルテ２００ｄの項目チェック部２２１においてチェックされた４つの項目２１９ｈ、２１９ｉ、２１９ｊ、２１９ｋが、赤色の太線２３６で囲われており、その引き出し線２３７が、ベージュ色に着色された四角枠２３８につながっている。そして、この四角枠２３８内には、「下地料の色は」という小見出し２４０が表示されており、その下に、「チェック項目からは、下地料のイエローベージュをおすすめしました。」という下地料選択の考え方を示す説明文２５３が表示されている。
【００６０】
さらに、上記四角枠２３８の下には、「こんな場合の色選びは」という小見出し２６３が表示されており、その下に、「ファンデーションの明るさはＣ？それともＤ？  フェースラインの明度はＣ・他の２点の明度が低め」という、判断に迷うパターンの見出し２７３が表示されている。そして、その下に、「基本的にはオークルＣがおすすめですが、他の２点の明度が低めなことと、右記の好みの仕上がりも考慮しながら慎重に色選びをしましょう。」というアドバイス２７４が表示されている。そして、その下に、「このお客さまの場合、首の色が暗めであることをお伝えして、ワントーン暗めのオークルＤをすすめた。」という色選びの考え方を示す説明文２７５が表示されている。
【００６１】
そして、その右側には、上記判断に迷うパターンの頬、フェースライン、首の３点の色相指数と明度指数の数値２７６と、そのパターンの座標点Ｐ、Ｑ、Ｒを示す直交座標２０４ｃが表示されている。なお、その下に、上記項目チェック部２２１において、「ベースメイクのお好みをお聞かせください」という見出し２２２の下に並ぶ項目のうち、チェックの入った項目２１９ｈと２１９ｉが、再度表示されている。
【００６２】
また、そのつぎのページは、例えば図１３に示すように構成されている。このページの左上には、直交座標上に示された３つの座標点Ｐ、Ｑ、Ｒの第５のパターンを模式的に示すイラスト２８０が表示されている。そして、その右側には、「少し上よりの場合〔ソフトオークル系〕の似合うお肌」という見出し２８１が表示されており、その下に、「フェースラインもしくは、首の色相が７０以上のお客さま」というこのパターンに該当する被測定者のタイプを示す説明文２８２が表示されている。
【００６３】
そして、その下に、このパターンの典型的なベースメイクカルテ２００ｅが表示されており、さらにその下に、上記表示内容にしたがって、推奨すべきベースメイク化粧品を選択するための手順や考え方が、表示されている。
【００６４】
すなわち、上記ベースメイクカルテ２００ｅの直交座標２０４に表示された帯域Ｂが、青色の太線２３３で囲われており、その引き出し線２３４が、水色に着色された四角枠２３５につながっている。そして、この四角枠２３５内には、「フェースライン・首の色相がＢの範囲内で、フェースラインの明度は６５、それぞれの測定値から、まずお試しいただきたいのは、オークルＣになること」が、四角枠と矢印を用いて簡潔に表示されている。
【００６５】
また、上記ベースメイクカルテ２００ｅの項目チェック部２２１においてチェックされた４つの項目２１９ｌ、２１９ｍ、２１９ｎ、２１９ｓが、赤色の太線２３６で囲われており、その引き出し線２３７が、ベージュ色に着色された四角枠２３８につながっている。そして、この四角枠２３８内の上段には、「もうひとつのテスト色として」という小見出し２３９が表示されており、その下に、「チェック項目から、このお客さまの場合はやや明るめの仕上がりが好みの傾向にあります。首の明度が７０を超えて明るいことと、ベースメイク、ポイントメイクの仕上がりの好みでソフトオークルＣをテストしました。」という考え方の説明文２８３が表示されている。そして、その下の段には、「下地料の色は」という小見出し２４０が表示されており、その下に、「チェック項目からは、下地料のピンクベージュをおすすめしました。」という下地料選択の考え方を示す説明文２４１が表示されている。
【００６６】
したがって、上記情報ツールによれば、被測定者の測定結果として表示された直交座標２０４上の３つの座標点Ｐ、Ｑ、Ｒと帯域Ａ、Ｂの位置関係のパターンに応じたアドバイスを、即座に提示することができ、効率よくカウンセリングを進めることができる。
【００６７】
なお、上記情報ツールは、冊子である必要はなく、複数枚のシートを組み合わせたものであってもよいし、カード式になったものであってもよい。また、印刷物によらず、上記の内容を、上記肌色測定装置のモニター画面４ａ（図１参照）に表示させるようにしたものであっても差し支えない。
【００６８】
一方、本発明に用いられる肌色測定装置は、上記の例に限らず、測定部と、測定データ処理部と、測定結果表示部とを備えたものであれば、特に限定するものではないが、測定結果表示部において、被測定者の頬とフェースラインと首の肌色測定の結果が、明度と色相を縦横の座標軸とする直交座標上に座標点として示され、同じくその直交座標上に表示される明度と色相の基準範囲（帯域Ａ、Ｂ）に対比できるようになっているものでなければならない。
【００６９】
ただし、上記の例のように、既存の肌色測定装置に、新たな改良を施すことが手間となる場合は、既存の肌色測定装置で得られた測定値を、別のパーソナルコンピュータ等の情報処理装置において処理し、その装置に内蔵されている（あるいはその装置に接続されている）画像表示手段において、本発明の特徴である評価結果の表示を行うようにしても差し支えない。その場合は、上記情報処理装置および画像表示手段が、本発明の肌色評価装置の測定データ処理部と、測定結果表示部として機能している。例えば、化粧品販売店等において、顧客管理や商品管理を目的として設置されている情報処理装置を、肌色測定装置と組み合わせて用いることができる。また、評価結果を、画像表示することなく、測定値を入力して印刷を指示するだけで、図５に示すようなベースメイクカルテが印刷されるよう設定することもできる。
【００７０】
このような例として、例えば、前記図１と同様の装置であって、多項目測定機能と測定項目ごとの評価機能を備えた既設の肌状態測定装置（ビューティーアナライザー２１、カネボウ化粧品社製）と、顧客管理等に用いられる既設の情報処理装置（ＢＣキット、カネボウ化粧品社製）とを組み合わせたものをあげることができる。
【００７１】
この例では、上記情報処理装置のメニュー画面（図示せず）から、「ビューティーアナライザー登録」の項目を選択することにより、図１４に示すような画面を開くことができるようになっている。この画面は、最上部に「ビューティーアナライザー登録」の見出し３００が表示されており、その下に、顧客（被測定者）の生年月日を入力する欄３０１と、顧客の年代を入力する欄３０２とが設けられている。そして、その下には、左から順に、「キメ」、「肌の色」、「透明感」、「表皮の力」、「真皮の力」という５つの項目について、それぞれａ〜ｄの４つの表示ランプ３０３が設けられている。これは、この例に用いる肌状態測定装置では、各項目について測定すると、それぞれａ〜ｄの４種類の評価が与えられるようになっていることに対応したもので、その下の、各測定値を入力する欄３０４に測定結果の数値を入力すると、該当するａ〜ｄのいずれかの表示ランプ３０３が明るく点灯するようになっている。
【００７２】
そして、その下には、「肌体力カルテ印刷」と「ベースメイクカルテ印刷」という２種類の印刷ボタン３０５、３０６が設けられており、その右側に、「入力内容を登録し、指定カルテを印刷します。」という説明文３０７が表示されている。上記「肌体力カルテ印刷」の印刷ボタン３０５を押すと、「キメ」、「肌の色」、「透明感」、「表皮の力」、「真皮の力」の全項目を総合評価したカルテがプリントアウトされるようになっている。また、「ベースメイクカルテ印刷」の印刷ボタン３０６を押すと、肌の色に関する、図５に示すようなベースメイクカルテ２００がプリントアウトされるようになっている。なお、その下には、プリントアウトすることなくデータとして登録するためのボタン３０８と、キャンセルするためのボタン３０９が設けられている。
【００７３】
したがって、上記情報処理装置の画面において、肌の色の明度と色相について、肌状態測定装置を用いて測定した結果（頬、フェースライン、首の３点で測定した結果）を、図１４において楕円Ｐで囲んだ入力欄３０４ａに入力し、上記「ベースメイクカルテ印刷」の印刷ボタン３０６を押せば、簡単にベースメイクカルテ２００を得ることができる。
【００７４】
なお、この例においても、前記の例と同様、ベースメイクカルテ２００は、被測定者用と店舗保存用の２枚がセットでプリントアウトされ、店舗保存用のものにのみ、機械的に判定されるファンデーションの色記号（図８の四角枠２２５内を参照）が表示されるようになっている。
【００７５】
最後に、本発明において、測定部位は、少なくとも頬、フェースライン、首の３個所に設定されるのであり、これに額等、他の部位を加えたものであっても差し支えない。ただし、上記３個所を測定して評価すれば、最適なベースメイク化粧料を推奨するのに充分であり、最小限の項目で、的確な評価を得ることができるという点で、好適である。
【図面の簡単な説明】
【００７６】
【図１】本発明の一実施例を示す外観斜視図である。
【図２】上記実施例のモニター画面の表示例を示す説明図である。
【図３】上記実施例のモニター画面の表示例を示す説明図である。
【図４】上記実施例のモニター画面の表示例を示す説明図である。
【図５】上記実施例のモニター画面の表示例を示す説明図である。
【図６】上記実施例のモニター画面の表示例を示す説明図である。
【図７】上記実施例のモニター画面の表示例を示す説明図である。
【図８】上記実施例のモニター画面の表示例を示す説明図である。
【図９】上記実施例に用いる情報ツールの部分的な説明図である。
【図１０】上記実施例に用いる情報ツールの部分的な説明図である。
【図１１】上記実施例に用いる情報ツールの部分的な説明図である。
【図１２】上記実施例に用いる情報ツールの部分的な説明図である。
【図１３】上記実施例に用いる情報ツールの部分的な説明図である。
【図１４】本発明の他の実施例に用いる情報処理装置の画面の表示例を示す説明図である。
【符号の説明】
【００７７】
３  拡大カメラ
４  液晶カラーモニター
５  本体部
【図１】
2006110075.tif 000003
【図２】
2006110075.tif 000004
【図３】
2006110075.tif 000005
【図４】
2006110075.tif 000006
【図５】
2006110075.tif 000007
【図６】
2006110075.tif 000008
【図７】
2006110075.tif 000009
【図８】
2006110075.tif 000010
【図９】
2006110075.tif 000011
【図１０】
2006110075.tif 000012
【図１１】
2006110075.tif 000013
【図１２】
2006110075.tif 000014
【図１３】
2006110075.tif 000015
【図１４】
2006110075.tif 000016